(57)【要約】【課題】着用者の皮膚に密着しつつも、動きやすさを感じることができる衣類を提供する。【解決手段】ボトム衣類１は、伸縮性を有し、着用者の皮膚に密着する本体部２と、本体部２の一部に曲線状又は直線状に延在するようにライン状に設けられ、ライン状に設けられる部分において本体部２が伸縮することを抑制するライン部３と、を備える。ライン部３は、着用者の皮膚伸展線ＦＬ１，ＦＬ２，ＦＬ３のそれぞれに対応する位置に設けられている。【選択図】図６
2019173238.tif 000002
【特許請求の範囲】
【請求項１】
伸縮性を有し、着用者の皮膚に密着する本体部と、
前記本体部の一部に曲線状又は直線状に延在するようにライン状に設けられ、前記ライン状に設けられる部分において前記本体部が伸縮することを抑制する伸縮抑制部と、を備え、
前記伸縮抑制部は、着用者の皮膚伸展線に対応する位置に設けられている、衣類。
【請求項２】
前記伸縮抑制部の延在方向に直交する幅方向のサイズは、４ｍｍ以上２５ｍｍ以下である、請求項１記載の衣類。
【請求項３】
前記本体部は、少なくともウエスト部から脛部までの皮膚に密着し、
前記伸縮抑制部は、
着用者の前面において、膝蓋骨中央部に対応する部分を上下方向から挟み込むように配置されると共に、内側脇線から外側脇線まで延在する第一ライン及び前記第一ラインよりも下方に配置され、前記内側脇線から前記外側脇線まで延在する第二ラインと、
着用者の前面において、前記第一ラインにおける前記内側脇線側の端部と前記外側脇線側の端部との間から上方に向かって前記外側脇線まで延在する第三ラインと、を有し、
前記第一ラインは、下方に凹となるように円弧状に配置され、前記第二ラインは、上方に凹となるように円弧状に配置され、
前記本体部においてウエスト部側の端部と股部に対応する端部との距離を第一基準距離としたとき、前記第三ラインにおける前記外側脇線側の端部は、前記股部に対応する端部から前記第一基準距離の１／３〜２／３の長さ上方に配置されている、請求項１又は２記載の衣類。
【請求項４】
前記第一ラインの曲率は、前記第二ラインの曲率よりも小さい、請求項３記載の衣類。
【請求項５】
前記伸縮抑制部は、着用者の背面において、前記第一ラインの前記外側脇線側の端部から前記内側脇線まで延在する第四ラインを有し、
前記股部と前記膝蓋骨中央部との距離を第二基準距離としたとき、前記第四ラインにおける前記内側脇線側の端部は、前記股部に対応する端部と、前記股部に対応する端部から前記第二基準距離の１／３の長さ下方の位置との間に配置されている、請求項３又は４記載の衣類。
【請求項６】
前記伸縮抑制部は、着用者の背面において、前記第二ラインの前記内側脇線の端部と前記外側脇線の端部とを接続する第五ラインを有する、請求項３〜５の何れか一項記載の衣類。
【請求項７】
着用者の背面において、前記第三ラインにおける前記外側脇線の端部同士を接続する第六ラインを有する、請求項３〜６の何れか一項記載の衣類。
【請求項８】
着用者の背面において、前記第三ラインにおける前記外側脇線の端部から、前記ウエスト部側の端部まで延在する第七ラインを有する、請求項３〜７の何れか一項記載の衣類。
【請求項９】
前記本体部は、着用者の上半身の皮膚に密着し、
前記伸縮抑制部は、
着用者の前面において、前中心から左右一対のアームホールの方向のそれぞれに向かって延在する一対の第八ラインと、
着用者の背面において、後中心から左右一対のアームホールの方向のそれぞれに向かって延在する一対の第九ラインと、
前記本体部の上端部と下端部との距離を第三基準距離としたとき、前記第八ラインにおける前記前中心側の端部は、前記本体部の下端部から前記第三基準距離の１／３〜１／２の長さ上方に配置され、前記第九ラインにおける前記後中心側の端部は、前記本体部の上端部から前記第三基準距離の１／３〜１／２の長さ下方に配置されている、請求項１〜８の何れか一項記載の衣類。
【請求項１０】
着用者の前面において、左右一対の前記アームホールのそれぞれの縁部から前記本体部の下端部まで延在する一対の第十ラインを有し、
前記前中心と脇線との距離を第四基準距離としたとき、一対の前記第十ラインのそれぞれは、前記脇線から前記第四基準距離の２０％〜４５％の距離の位置に配置されている、請求項９記載の衣類。
【請求項１１】
前記第八ラインにおける前記アームホール側の端部は、前記第十ラインに接続されている、請求項１０記載の衣類。
【請求項１２】
前記第八ラインにおける前記アームホール側の端部は、前記アームホールを形成する縁部に接続されている、請求項９又は１０記載の衣類。
【請求項１３】
着用者の背面において、左右一対の前記アームホールのそれぞれの縁部から前記本体部の下端部まで延在する一対の第十一ラインを有し、
前記後中心と脇線との距離を第五基準距離としたとき、一対の前記第十一ラインのそれぞれは、前記脇線から前記第五基準距離の２０％〜４５％の距離の位置に配置されている、請求項９〜１２の何れか一項記載の衣類。
【請求項１４】
前記第九ラインにおける前記アームホール側の端部は、前記第十一ラインに接続されている、請求項１３記載の衣類。
【請求項１５】
前記第九ラインにおける前記アームホール側の端部は、前記アームホールを形成する縁部に接続されている、請求項９〜１３の何れか一項記載の衣類。
【発明の詳細な説明】
【技術分野】
【０００１】
本発明は、衣類に関する。
【背景技術】
【０００２】
スポーツ等を行う際に着用される衣類として、皮膚に密着した状態で着用され、伸縮性に優れた生地で製造されるコンプレッションウェア等の衣類が知られている。このような衣類として、例えば、特許文献１には、着用者の上半身の表面にほぼ密着した状態で着用されるシャツであって、一方向の伸びが直交する方向に比較して相対的に高いストレッチ素材を、後ろ身頃の上部は横に伸びる方向、同下部は縦に伸びる方向、前身頃は縦に伸びる方向、上腕から肩部は横に伸びる方向、脇部と肘部は縦に伸びる方向、袖部は横に伸びる方向にそれぞれ配置したシャツが開示されている。
【先行技術文献】
【特許文献】
【０００３】
【特許文献１】特開２００９−２９９２３９号公報
【発明の概要】
【発明が解決しようとする課題】
【０００４】
このような衣類は、運動パフォーマンスを向上させる一方、歩行等の日常生活での動作時や、ウォーキング等の軽運動時には、「きつい」、「部分的な圧迫感がある」といった側面を有している。
【０００５】
本発明は、上記課題の解決のためになされたものであり、着用者の皮膚に密着しつつも、動きやすさを感じることができる衣類を提供することを目的とする。
【課題を解決するための手段】
【０００６】
本発明の衣類は、伸縮性を有し、着用者の皮膚に密着する本体部と、本体部の一部に曲線状又は直線状に延在するようにライン状に設けられ、ライン状に設けられる部分において本体部が伸縮することを抑制する伸縮抑制部と、を備え、伸縮抑制部は、着用者の皮膚伸展線に対応する位置に設けられている。
【０００７】
本願発明者らは、鋭意検討の結果、生地を所定量伸長させた場合、生地の一部に、伸長方向と直交する方向に沿って伸縮を止める部分（伸縮抑制部）を形成することによって、伸縮抑制部と伸縮非抑制部との間で伸度に違いを出せることを見出した。すなわち、生地の一部に伸縮抑制部を設けることによって、伸縮抑制部がない場合に比べ伸縮非抑制部の伸度を大きくすることができることを見出した。更に、本願発明者らは、衣類を着用した際に、このような皮膚伸展線と対応する位置に上述したような伸縮抑制部を設ければ、皮膚の伸びが小さな皮膚伸展線に対応する箇所において生地の伸びを抑制し、皮膚の伸びが大きな位置に対応する箇所では、皮膚の伸びる方向に合わせて生地をより伸ばせることを見出した。これにより、着用者の皮膚伸展線に対応する位置に伸縮抑制部が設けられた衣類は、運動時の動作に追随することができる。この結果、着用者の皮膚に密着しつつも、動きやすさを感じることができる。
【０００８】
本発明の衣類では、伸縮抑制部の延在方向に直交する幅方向のサイズは、４ｍｍ以上２５ｍｍ以下であってもよい。これにより、伸縮抑制部の幅方向サイズを、人体の皮膚伸展線のサイズに合わせることができる。この結果、伸縮抑制部が着用者の皮膚伸展線の位置からずれにくくなるので、より身体にフィットするようになる。
【０００９】
本発明の衣類では、本体部は、少なくともウエスト部から脛部までの皮膚に密着し、伸縮抑制部は、着用者の前面において、膝蓋骨中央部に対応する部分を上下方向から挟み込むように配置されると共に、内側脇線から外側脇線まで延在する第一ライン及び第一ラインよりも下方に配置され、内側脇線から外側脇線まで延在する第二ラインと、着用者の前面において、第一ラインにおける内側脇線側の端部と外側脇線側の端部との間から上方に向かって外側脇線まで延在する第三ラインと、を有し、第一ラインは、下方に凹となるように円弧状に配置され、第二ラインは、上方に凹となるように円弧状に配置され、本体部においてウエスト部側の端部と股部に対応する端部との距離を第一基準距離としたとき、第三ラインにおける外側脇線側の端部は、股部に対応する端部から第一基準距離の１／３〜２／３の長さ上方に配置されていてもよい。
【００１０】
ここで脛部とは、膝部から足首部にかけての部位を意味する。人体の下半身には、膝蓋骨中央部の上方及び下方を、左右方向に膝部の内側から膝部の外側まで延在する皮膚伸展線と、上記の皮膚伸展線のうち上方に配置された皮膚伸展線の左右方向略中央部から斜め上方に延在し、大腿部を通ってウエスト部、腸骨棘部近傍まで延在する皮膚伸展線とが存在する。この構成の衣類では、これらの皮膚伸展線に対応するように伸縮抑制部が配置される。この結果、着用者の皮膚に密着しつつも、運動時の特に下半身における動作に追随して動きやすさを感じることができる。
【００１１】
本発明の衣類では、第一ラインの曲率は、第二ラインの曲率よりも小さくてもよい。この構成の衣類では、着用状態において、より確実に、膝蓋骨中央部の上方及び下方を左右方向に延在する皮膚伸展線の位置に伸縮抑制部を位置させることができる。
【００１２】
本発明の衣類では、伸縮抑制部は、着用者の背面において、第一ラインの外側脇線側の端部から内側脇線まで延在する第四ラインを有し、股部と膝蓋骨中央部との距離を第二基準距離としたとき、第四ラインにおける内側脇線側の端部は、股部に対応する端部と、股部に対応する端部から第二基準距離の１／３の長さ下方の位置との間に配置されてもよい。第四ラインにおける内側脇線側の端部の位置が、股部に対応する端部の位置に一致してもよい。人体の下半身には、膝部背面から上方に向かって延在し、大腿部を通って臀部の臀溝部近傍にかけて延在する皮膚伸展線が更に存在する。この構成の衣類では、この皮膚伸展線に対応するように伸縮抑制部が配置される。
【００１３】
本発明の衣類では、伸縮抑制部は、着用者の背面において、第二ラインの内側脇線の端部と外側脇線の端部とを接続する第五ラインを有してもよい。この構成の衣類では、第二ラインと第五ラインとがつながり膝部を囲むような伸縮抑制部の輪が形成される。これにより、伸縮抑制部のフィット感を向上させることができる。
【００１４】
本発明の衣類では、着用者の背面において、第三ラインにおける外側脇線の端部同士を接続する第六ラインを有してもよい。この構成の衣類では、第三ラインと第六ラインとがつながり膝部を囲むような伸縮抑制部の輪が形成される。これにより、伸縮抑制部のフィット感を向上させることができる。
【００１５】
本発明の衣類では、着用者の背面において、第三ラインにおける外側脇線の端部から、ウエスト部側の端部まで延在する第七ラインを有してもよい。この構成の衣類では、ウエスト部の端部による吊り下げ効果によって、伸縮抑制部のフィット感を向上させることができる。
【００１６】
本発明の衣類では、本体部は、着用者の上半身の皮膚に密着し、伸縮抑制部は、着用者の前面において、前中心から左右一対のアームホールの方向のそれぞれに向かって延在する一対の第八ラインと、着用者の背面において、後中心から左右一対のアームホールの方向のそれぞれに向かって延在する一対の第九ラインと、本体部の上端部と下端部との距離を第三基準距離としたとき、第八ラインにおける前中心側の端部は、本体部の下端部から第三基準距離の１／３〜１／２の長さ上方に配置され、第九ラインにおける後中心側の端部は、本体部の上端部から第三基準距離の１／３〜１／２の長さ下方に配置されていてもよい。
【００１７】
人体の上半身には、胸部の下（バージスライン）に沿って、左右方向に一方の脇線から他方の脇線にまで延在する皮膚伸展線と、背部からウエスト部にかけて延在し、左右方向に一方の脇線から他方の脇線にまで延在する皮膚伸展線とが存在する。この構成の衣類では、これらの皮膚伸展線に対応するように伸縮抑制部が配置される。この結果、着用者の皮膚に密着しつつも、運動時の特に下半身における動作に追随して動きやすさを感じることができる。
【００１８】
本発明の衣類では、着用者の前面において、左右一対の前記アームホールのそれぞれの縁部から本体部の下端部まで延在する一対の第十ラインを有し、前中心と脇線との距離を第四基準距離としたとき、一対の第十ラインのそれぞれは、脇線から第四基準距離の２０％〜４５％の距離の位置に配置されていてもよい。人体の上半身には、前面から人体を見たときの脇線よりも前中心側で上記脇線に沿って上下方向に延在する皮膚伸展線が更に存在する。この構成の衣類では、この皮膚伸展線に対応するように伸縮抑制部が配置される。
【００１９】
本発明の衣類では、第八ラインにおけるアームホール側の端部は、第十ラインに接続されていてもよい。この構成では、伸縮抑制部のフィット感を向上させることができる。
【００２０】
本発明の衣類では、第八ラインにおけるアームホール側の端部は、アームホールを形成する縁部に接続されていてもよい。この構成の衣類では、アームホールを形成する縁部による吊り下げ効果によって、伸縮抑制部のフィット感を向上させることができる。
【００２１】
本発明の衣類では、着用者の背面において、左右一対の前記アームホールのそれぞれの縁部から本体部の下端部まで延在する一対の第十一ラインを有し、後中心と脇線との距離を第五基準距離としたとき、一対の前記第十一ラインのそれぞれは、脇線から第五基準距離の２０％〜４５％の距離の位置に配置されていてもよい。人体の上半身には、背面から人体を見たときの脇線よりも後中心側で上記脇線に沿って上下方向に延在する皮膚伸展線が存在する。この構成の衣類では、この皮膚伸展線に対応するように伸縮抑制部が配置される。
【００２２】
本発明の衣類では、第九ラインにおけるアームホール側の端部は、第十一ラインに接続されていてもよい。この構成では、伸縮抑制部のフィット感を向上させることができる。
【００２３】
本発明の衣類では、第九ラインにおけるアームホール側の端部は、アームホールを形成する縁部に接続されていてもよい。この構成の衣類では、アームホールを形成する縁部による吊り下げ効果によって、伸縮抑制部のフィット感を向上させることができる。
【発明の効果】
【００２４】
本発明によれば、着用者の皮膚に密着しつつも、動きやすさを感じることができる。
【図面の簡単な説明】
【００２５】
【図１】（ａ）は、通常の生地を縦方向及び横方向の両方向に３０％伸ばしたときの状態を示した図である。（ｂ）は、伸縮抑制部を設けた生地を縦方向及び横方向の両方向に３０％伸ばしたときの状態を示した図である。
【図２】（ａ）〜（ｆ）は、本願で特定された皮膚伸展線の位置を示した図である。
【図３】（ａ）〜（ｃ）は、皮膚伸展線の位置を示す図である。
【図４】（ａ）〜（ｅ）は、本願で特定された皮膚伸展線の位置を示した図である。
【図５】（ａ）〜（ｃ）は、皮膚伸展線の位置を示す図である。
【図６】第一実施形態に係るボトム衣類の正面図である。
【図７】第一実施形態に係るボトム衣類の背面図である。
【図８】（ａ）〜（ｄ）は、伸長力の測定方法を示した図である。
【図９】第一実施形態に係るボトム衣類を着用して動作したときのずれを示す図である。
【図１０】第二実施形態に係るトップ衣類の正面図である。
【図１１】第二実施形態に係るトップ衣類の背面図である。
【発明を実施するための形態】
【００２６】
以下、図面を参照しながら、一実施形態に係る衣類について詳細に説明する。実施形態の説明に先立ち、まず、本発明の知見について説明する。本願発明者らは、鋭意検討の結果、生地Ｃを所定の伸び率（例えば３０％）とした場合、生地Ｃの一部に、伸ばしたい方向と直交する方向に沿って伸度を止める部分（伸縮抑制部Ｓ）を形成することによって、伸縮抑制部Ｓと伸縮非抑制部Ｓ１との間で伸度に違いを出せることを見出した。すなわち、生地Ｃの一部に伸縮抑制部Ｓを設けることによって、伸縮抑制部Ｓよりも伸縮非抑制部Ｓ１の伸度を大きくすることができることを見出した。
【００２７】
上記知見を示したのが図１（ａ）及び図１（ｂ）である。図１（ａ）は、５ｍｍの升目を入れた通常の生地Ｃを刺繍枠に固定して、縦方向及び横方向の両方向に３０％伸ばしたときの状態を示した図である。図１（ｂ）は、伸縮抑制部Ｓによって部分的に伸びを止めた生地Ｃを刺繍枠に固定して、縦方向及び横方向の両方向に３０％伸ばしたときの升目寸法の違いを示した図である。図１（ａ）及び図１（ｂ）に示されるように、図１（ａ）の通常の生地Ｃでは、一律に生地Ｃが伸びているのに対して、図１（ｂ）の伸縮抑制部Ｓが設けられた生地Ｃでは、伸縮抑制部Ｓと伸縮非抑制部Ｓ１とで、伸び量に差が現れ、伸縮抑制部Ｓに比べて伸縮非抑制部Ｓ１の伸び量が大きくなっている。すなわち、生地Ｃを３０％伸ばした場合に、生地Ｃの一部に伸縮抑制部Ｓを設けることによって、伸縮抑制部Ｓよりも伸縮非抑制部Ｓ１の伸度を大きくできることが確認できた。
【００２８】
また、人間は、歩行運動、立位姿勢と座位姿勢との間における運動等、日常生活において様々な運動を行っている。本願発明者らは、これらの運動の際、人体の皮膚には、伸び易い所と伸び難い所とがあることを見出した。そして、本願発明者らは、皮膚の伸び方向を特定すると共に筋の配置方向を考慮して、人体の表面を複数の領域（皮膚伸展面）に分割してそれぞれの領域ごとに皮膚の伸び方向を特定した。そして、皮膚伸展面（すなわち、皮膚伸展方向）の境界ライン（以下、「皮膚伸展線」と称する。）を特定した。以下、上半身及び下半身における皮膚伸展線について説明する。
【００２９】
図２（ａ）〜図２（ｆ）は、上述した方法によって特定された皮膚伸展線を示す図である。図２（ａ）〜図２（ｆ）において、ハッチング部は、皮膚の伸びがほとんど発生しない箇所、矢印は、各動作時に皮膚が伸びた方向、太実線は、伸び方向が異なる方向に切り替わる皮膚伸展線（言い換えれば、皮膚の伸びが相対的に小さい箇所）を示している。これらの結果、図３（ａ）に示される人体の背面、図３（ｂ）に示される人体の側面、及び図３（ｃ）に示される人体の前面において、例えば、皮膚伸展線ＦＬ１〜ＦＬ４があることを見出した。なお、人体の下半身に存在する皮膚伸展線は、上述したものだけに限られない。
【００３０】
皮膚伸展線ＦＬ１は、膝蓋骨中央部Ｐ３の上方を左右方向に、膝部Ｐ３Ａの内側から膝部Ｐ３Ａの外側まで延在する皮膚伸展線である。皮膚伸展線ＦＬ２は、膝蓋骨中央部Ｐ３の下方を左右方向に、膝部Ｐ３Ａの内側から膝部Ｐ３Ａの外側まで延在する皮膚伸展線である。皮膚伸展線ＦＬ３は、皮膚伸展線ＦＬ１の左右方向略中央部から斜め上方に延在し、大腿部Ｐ７を通ってウエスト部Ｐ１、腸骨棘部近傍まで延在する皮膚伸展線である。皮膚伸展線ＦＬ４は、膝部Ｐ３Ａ背面から上方に向かって延在し、大腿部Ｐ７を通って臀部Ｐ５の臀溝部近傍にかけて延在する皮膚伸展線である。
【００３１】
そして、後段にて詳述するボトム衣類１を着用した際に、このような皮膚伸展線に対応する位置に上述したような伸縮抑制部Ｓを設ければ、皮膚の伸びが小さな皮膚伸展線に対応する箇所において生地の伸びを抑制し、皮膚の伸びが大きな位置に対応する箇所では、皮膚の伸びる方向に合わせてより生地を伸ばせることを見出した。この知見に基づいて伸縮抑制部Ｓとなるライン部３を配置したボトム衣類１を、後段にて、第一実施形態として説明する。
【００３２】
図４（ａ）〜図４（ｅ）は、皮膚伸展面を分割することによって、皮膚伸展線を特定した図である。図４（ａ）〜図４（ｅ）において、ハッチング部は、皮膚の伸びがほとんど発生しない箇所、矢印は、各動作時に皮膚が伸びた方向、太実線は、伸び方向が反対方向に切り替わる境界ライン（言い換えれば、皮膚の伸びが相対的に小さい箇所）を示している。これらの結果、図５（ａ）に示される人体の背面、図５（ｂ）に示される人体の側面、図５（ｃ）に示される人体の前面において、例えば、皮膚伸展線ＦＬ９〜ＦＬ１１があることを見出した。なお、人体の上半身に存在する皮膚伸展線は、上述したものだけに限られない。
【００３３】
皮膚伸展線ＦＬ８は、胸部Ｐ８の下（バージスライン）に沿って、左右方向に一方の脇線から他方の脇線にまで延在する皮膚伸展線である。皮膚伸展線ＦＬ９は、背部Ｐ９からウエスト部Ｐ１にかけて延在し、左右方向に一方の脇線から他方の脇線にまで延在する皮膚伸展線である。皮膚伸展線ＦＬ１０は、前面から人体を見たときの脇線よりも前中心側で上記脇線に沿って上下方向に延在する皮膚伸展線である。皮膚伸展線ＦＬ１１は、背面から人体を見たときの脇線よりも後中心側で上記脇線に沿って上下方向に延在する皮膚伸展線である。
【００３４】
そして、後段にて詳述するトップ衣類１０１を着用した際に、このような皮膚伸展線と対応する位置に上述したような伸縮抑制部Ｓを設ければ、皮膚の伸びが小さな皮膚伸展線に対応する箇所において生地の伸びを抑制し、皮膚の伸びが大きな位置に対応する箇所では、皮膚の伸びる方向に合わせて生地を伸ばせることを見出した。この知見に基づいて伸縮抑制部Ｓとなるライン部３を配置したトップ衣類１０１を、後段にて、第二実施形態として説明する。
【００３５】
［第一実施形態］
第一実施形態に係るボトム衣類（衣類）１について説明する。以下の説明では、便宜上、特別に説明をしない限り、ボトム衣類１を正面から見た着用状態を想定して「上」「下」「左」「右」等の用語を使用する。ボトム衣類１の例には、インナーボトム及びスポーツ用スパッツ等が含まれる。
【００３６】
図６及び図７に示されるように、ボトム衣類１は、本体部２と、ライン部（伸縮抑制部）３と、を備えている。本体部２は、着用者の体を覆うように設けられており、ウエスト部Ｐ１から脛部Ｐ２までの皮膚に密着する。本体部２は、伸縮性を有する生地により形成されている。本体部２を構成する素材の例には、パワーネット、ツーウェイラッセル、及びツーウェイトリコット等の経編、並びに、天竺、ベア天竺、フライス、及びスムース等の緯編等が含まれる。
【００３７】
本体部２は、股部Ｐ６よりも上方の股上部２１と、股部Ｐ６及び股部Ｐ６よりも下方の左右一対の脚部２２，２２と、を有している。股上部２１は、着用状態において、着用者のウエスト部Ｐ１、腹部Ｐ４、臀部Ｐ５、股部Ｐ６、及び大腿部Ｐ７の一部を覆う。股上部２１には、左右の身頃を前中心ＣＬ１及び後中心ＣＬ２で互いに縫着することによって接ぎラインＬ１，Ｌ２が形成されている。
【００３８】
ウエスト部Ｐ１側の端部２２ｃには、例えば、ゴム等によって形成された伸縮性を有するテープが設けられている。脚部２２，２２は、着用状態において、着用者の大腿部Ｐ７の一部、膝部Ｐ３Ａ、及び脛部Ｐ２を覆う。脚部２２，２２のそれぞれには、内側脇線２ａで前面Ｆ側と背面Ｂ側とを縫着することによって接ぎラインＬ３，Ｌ３が形成されている。
【００３９】
ライン部３は、本体部２の一部に直線状又は曲線状に延在するようにライン状に設けられ、ライン状に設けられる部分において本体部２が伸縮することを抑制する。ライン部３は、例えば、本体部２への縫着、接着又は溶着による当て布、本体部２の一部の編み構造の変更（組織切替）、抜蝕加工等の加工処理、樹脂プリント及び樹脂パーツの固着等によって形成されている。当て布等のように本体部２とは別の素材を用いる場合、ライン部３を構成する素材の例として、パワーネット等が含まれる。ライン部３の延在方向に直交する幅方向のサイズは、４ｍｍ以上２５ｍｍ以下であり、好ましくは１０ｍｍ以上２０ｍｍ以下である。
【００４０】
ライン部３の形成方法としては、例えば、ツーウェイラッセルに当て布として共生地を当てて縫着したり、ベアスムースに帯状の樹脂プリントをしたり、ベアスムースに別生地の当て布を縫着したりして形成することができる。
【００４１】
ライン部３は、第一ライン３１と、第二ライン３２と、第三ライン３３と、第四ライン３４と、第五ライン３５と、第六ライン３６と、第七ライン３７と、を有している。これらの第一ライン３１〜第七ライン３７は、上述した、着用者の皮膚伸展線に対応する位置に設けられている。以下、第一ライン３１〜第七ライン３７について詳述する。
【００４２】
第一ライン３１は、着用者の前面Ｆにおいて、膝蓋骨中央部Ｐ３を上下方向から挟み込むように配置されると共に、内側脇線２ａから外側脇線２ｂまで延在する。第一ライン３１は、下方に凹となるように円弧状に配置されている。第一ライン３１の曲率は、第二ライン３２の曲率よりも小さい。第一ライン３１は、膝蓋骨中央部Ｐ３の８ｃｍ〜１３ｃｍ上方に配置されている。
【００４３】
第二ライン３２は、着用者の前面Ｆにおいて、第一ライン３１よりも下方に配置される内側脇線２ａから外側脇線２ｂまで延在する。第二ライン３２は、上方に凹となるように円弧状に配置されている。第二ライン３２の曲率は、第一ライン３１の曲率よりも大きい。第二ライン３２は、膝蓋骨中央部Ｐ３の８ｃｍ〜１３ｃｍ下方に配置されている。
【００４４】
第三ライン３３は、着用者の前面Ｆにおいて、第一ライン３１における内側脇線２ａ側の端部３１ａと外側脇線２ｂ側の端部３１ｂとの間から上方に向かって外側脇線２ｂまで延在する。第一実施形態の第三ライン３３は、第一ライン３１における左右方向中央部から上方に向かって外側脇線２ｂまで延在する。第三ライン３３は、外側（外側脇線２ｂ）に向かって凹状に延在する。本体部２におけるウエスト部Ｐ１側の端部２ｃと股部Ｐ６に対応する端部２ｄとの距離を第一基準距離Ｄ１としたとき、第三ライン３３における外側脇線２ｂ側の端部３３ａは、股部Ｐ６側の端部２ｄから第一基準距離Ｄ１の１／３〜２／３の長さ上方に配置されている。すなわち、上下方向において、股部Ｐ６に対応する端部２ｄと第三ライン３３における外側脇線２ｂ側の端部３３ａとの距離Ｄ１１は、第一基準距離Ｄ１の１／３〜２／３である。
【００４５】
第四ライン３４は、着用者の背面Ｂにおいて、第一ライン３１の外側脇線２ｂの端部３１ｂから内側脇線２ａまで斜め方向に延在する。第一実施形態では、右側の脚部２２に形成される第四ライン３４は、背面Ｂ側から見たとき、外側脇線２ｂから右斜め上方に向かって内側脇線２ａまで延在している。左側の脚部２２に形成される第四ライン３４は、背面Ｂ側から見たとき、外側脇線２ｂから左斜め上方に向かって内側脇線２ａまで延在している。ここで、股部Ｐ６に対応する端部２ｄと膝蓋骨中央部Ｐ３との距離を第二基準距離Ｄ２とする。第四ライン３４における内側脇線２ａ側の端部３４ａは、股部Ｐ６に対応する端部２ｄと、股部Ｐ６に対応する端部２ｄから第二基準距離の１／３の長さ下方の位置との間に配置されている、すなわち、上下方向において、股部Ｐ６に対応する端部２ｄと第四ライン３４における内側脇線２ａ側の端部３４ａとの距離Ｄ２１は、第二基準距離Ｄ２の１／３以下（０を含む）である。
【００４６】
第五ライン３５は、着用者の背面Ｂにおいて、第二ライン３２の内側脇線２ａの端部３２ａと外側脇線２ｂの端部３２ｂとを接続する。第五ライン３５は、下方に凹となるように円弧状に配置されている。第二ライン３２と第五ライン３５とによって形成されるラインは、膝蓋骨中央部Ｐ３の下方において、膝部Ｐ３Ａの外周面を覆うように輪状に形成されている。
【００４７】
第六ライン３６は、着用者の背面Ｂにおいて、第三ライン３３における外側脇線２ｂの端部３３ａ，３３ａ同士を接続する。第六ライン３６は、下方に向かって凹状に延在する。第五ライン３５は、下方に凹となるように円弧状に配置されている。
【００４８】
本体部２が、皮膚の伸縮を妨げず、きつさ感、部分的な圧迫感を着用者に感じさせないものにすると共に、ライン部３を人体の皮膚伸展線に安定して固定するためには、本体部２及びライン部３の伸長力を適切に設定する必要がある。ここでいう伸長力は、サンプルを所定の伸び率（例えば３０％）伸長させるために必要な力（Ｎ）、すなわち「伸び易さ」である。したがって、伸長力の値が大きいほど伸び難い素材であることを意味する。本体部２及びライン部３の伸長力は、例えば、下記に示す引張試験機を用いて測定することができる。なお、第一実施形態では、本体部２において、製品に近い面的な生地としての伸長力を計測するため、短冊状（帯状）のサンプルの伸長力を図るＪＩＳ等の計測方法とは異なる。すなわち、下記に詳述する引張試験機に、１４ｃｍ四方の生地（試験片）を対向するつかみ間隔を１０ｃｍ（計測部は１０ｃｍ四方）として取り付けて試験片の伸長を行い、設定された伸び率（３０％）における本体部２に対応するサンプル（試験片）８０及びライン部３に対応するサンプル（試験片）８０Ａの伸長力を測定した。
【００４９】
図８（ａ）〜図８（ｄ）に示されるように、引張試験機は、計側部である１０ｃｍ四方のサイズよりも一回り大きな１４ｃｍ四方のサイズのサンプル８０（８０Ａ）の四方を上下左右（上下）方向からつかみ間隔１０ｃｍで挟み込む一対のチャック９５，９５（９６，９６）を有している。引張試験機は、互いに対向する一方の辺に配置されると共に、所定の位置に固定された状態で配置されているチャック９５と、互いに対向する他方の辺に配置されると共に、矢印方向に移動可能に設けられているチャック９５と、を有している。このような構成の引張試験機では、チャック９５がサンプル８０（８０Ａ）を挟持した状態で矢印方向に移動することによって、サンプル８０（８０Ａ）を引っ張ることができる。
【００５０】
本体部２に対応するサンプル８０の伸長力を計測する場合には、１０ｃｍ四方のサイズよりも一回り大きな１４ｃｍ四方のサイズのサンプル８０を準備する。チャック９５のチャック幅Ｌ９５は１０ｃｍである。サンプル８０の引っ張りを開始する場合には、図８（ａ）及び図８（ｂ）に示されるような状態でチャック９５が配置される。そして、図８（ｃ）に示されるように、サンプルの向き（地の目の向き）を変更して設置することによって、サンプル８０のタテ方向、ヨコ方向、バイヤス方向の伸長力をそれぞれ測定する。
【００５１】
本体部２のタテ方向、ヨコ方向、及びバイヤス方向の伸長力は、上述したようにサンプル８０を測定する要領で測定したとき、２．０Ｎ〜９．０Ｎであり、３．５Ｎ〜７．５Ｎであることが好ましい。
【００５２】
また、ライン部３に対応するサンプル８０Ａの伸長力を計測する場合には、１０ｃｍ四方のサイズよりも一回り大きな１４ｃｍ四方のサイズのサンプル８０Ａを準備する。ライン部３に相当する伸縮抑制部８５は、サンプル８０Ａにおける引張方向に直交する向きの中心部に設けられる。図８（ｄ）に示されるように、チャック９６はサンプル８０Ａにおける引張方向に直交する向きの中心部に設けられ、ライン部３に相当する伸縮抑制部８５を挟持する。チャック９６のチャック幅Ｌ９６は３ｃｍ、つかみ間距離Ｌは１０ｃｍである。サンプル８０Ａの引っ張りを開始する場合には、図８（ｄ）に示されるような状態でチャック９６が配置される。そして、伸縮抑制部８５の延在方向に沿うように、チャック９６を矢印方向に移動させることによって、サンプル８０Ａの伸長力を測定する。
【００５３】
ライン部３の伸長力は、上述したようにサンプル８０Ａを測定する要領で測定したとき、２．０Ｎ〜４．１Ｎである。そして、ライン部３の伸長力は、サンプル８０Ａの計測方法にてそれぞれ測定された本体部２の伸長力とライン部３の伸長力における「本体部２の伸長力／ライン部３の伸長力」の値が１．２〜２．４となるように選択されることが好ましい。
【００５４】
次に、第一実施形態のボトム衣類１を着用して所定の動作を行った後、着用したボトム衣類１のライン部３の位置と着用者の皮膚伸展線の位置とのずれを計測した。当該計測は、３名の被験者が２素材のボトム衣類をそれぞれ着用して所定の動作を行った後、ずれの計測を行った。また、被験者は、一つのボトム衣類について３〜５回実施した。このような計測の傾向を図９（ａ）及び図９（ｂ）に示す。図９（ａ）は、上記第一実施形態のボトム衣類１を示しており、所定の動作後のライン部３（第一ライン３１、第二ライン３２、第三ライン３３及び第四ライン３４）と皮膚伸展線ＦＬ１〜ＦＬ４とのずれを示す図である。図９（ｂ）は、ボトム衣類１と同じ形状（パターン）のボトム衣類を作成し、ライン部３に該当する位置にインクで線を描いたボトム衣類（比較例）を示しており、所定の動作後のインクで描かれた線と皮膚伸展線ＦＬ１〜ＦＬ４とのずれを示す図である。
【００５５】
図９（ａ）及び図９（ｂ）によれば、第一実施形態のボトム衣類１のライン部３と皮膚伸展線ＦＬ１〜ＦＬ４との間では、ずれがほとんど生じないのに対して、比較例に係るボトム衣類のインクで描かれた線（すなわち、伸縮が抑制されていない部分）と皮膚伸展線ＦＬ１〜ＦＬ４との間では、ずれが生じることが確認された。すなわち、第一実施形態のボトム衣類１では、ライン部３となる各ライン３１〜３４が、皮膚伸展線ＦＬ１〜ＦＬ４上にフィットしていることが確認された。
【００５６】
第一実施形態のボトム衣類１の作用効果について説明する。第一実施形態のボトム衣類１は、本体部２の一部にライン状に設けられたライン部３を設けることによって、本体部２においてライン部３を設けた箇所とライン部３を設けなかった箇所とで伸度（伸び量）に違いを出した。そして、着用状態において、ライン部３を設けた箇所を、人体に存在する皮膚伸展線ＦＬ１〜ＦＬ４に対応する位置に設けることによって、皮膚の伸びが小さな皮膚伸展線ＦＬ１〜ＦＬ４に対応する箇所において生地の伸びを抑制し、皮膚の伸びが大きな位置に対応する箇所において、皮膚の伸びる方向に合わせて生地を伸ばせるようにした。これにより、着用者の皮膚に密着しつつも、運動時の動作に追随して動きやすさを感じることができる。
【００５７】
第一実施形態のボトム衣類１では、ライン部３の延在方向に直交する幅方向のサイズは、１０ｍｍ以上２０ｍｍ以下である。これにより、ライン部３の幅方向サイズを、人体の皮膚伸展線ＦＬ１〜ＦＬ４のサイズに合わせることができる。この結果、ライン部３が着用者の身体の曲面に合わせて接触するようになるので、より身体にフィットするようになる。
【００５８】
第一実施形態のボトム衣類１では、人体の下半身に存在する、膝蓋骨中央部Ｐ３の上方及び下方を、左右方向に膝部Ｐ３Ａの内側から膝部Ｐ３Ａの外側まで延在する皮膚伸展線ＦＬ１，ＦＬ２と、上記の皮膚伸展線のうち上方に配置された皮膚伸展線ＦＬ１の左右方向略中央部から斜め上方に延在し、大腿部Ｐ７を通ってウエスト部Ｐ１、腸骨棘部近傍まで延在する皮膚伸展線ＦＬ３とに対応するように、各ライン３１〜３４が配置されている。これにより、ボトム衣類１は、運動時の特に下半身における動作に追随することができる。この結果、着用者の皮膚に密着しつつも、動きやすさを感じることができる。
【００５９】
第一実施形態のボトム衣類１では、第一ライン３１は、膝蓋骨中央部の８ｃｍ〜１３ｃｍ上方に配置され、第二ライン３２は、膝蓋骨中央部の８ｃｍ〜１３ｃｍ下方に配置されるので、着用状態において、より確実に、皮膚伸展線ＦＬ１，ＦＬ２の位置にライン部３を位置させることができる。
【００６０】
第一実施形態のボトム衣類１では、第一ライン３１の曲率を、第二ライン３２の曲率よりも小さくしているので、着用状態において、より確実に、皮膚伸展線ＦＬ１，ＦＬ２の位置にライン部３を位置させることができる。
【００６１】
第一実施形態のボトム衣類１では、人体の下半身に存在する、膝部背面から上方に向かって延在し、大腿部を通って臀部の臀溝部近傍にかけて延在する皮膚伸展線ＦＬ４に対応するように、ライン部３が配置されている。この構成の衣類では、この皮膚伸展線ＦＬ４において生地の伸びを抑制することができる。
【００６２】
第一実施形態のボトム衣類１では、着用者の背面Ｂにおいて、第二ライン３２の内側脇線の端部３２ａと外側脇線の端部３２ｂとを接続する第五ライン３５を有しているので、第二ライン３２と第五ライン３５とがつながり膝部Ｐ３Ａを囲むようなライン部３の輪が形成される。これにより、ライン部３のフィット感を向上させることができる。
【００６３】
第一実施形態のボトム衣類１では、着用者の背面Ｂにおいて、第三ライン３３における外側脇線の端部３３ａ，３３ａ同士を接続する第六ライン３６を有しているので、第三ライン３３と第六ライン３６とがつながり膝部Ｐ３Ａを囲むようなライン部３の輪が形成される。これにより、ライン部３のフィット感を向上させることができる。
【００６４】
［第二実施形態］
第二実施形態に係るトップ衣類（衣類）１０１について説明する。以下の説明では、便宜上、特別に説明をしない限り、トップ衣類１０１を正面から見た着用状態を想定して「上」「下」「左」「右」等の用語を使用する。トップ衣類１０１の例には、肌着、キャミソール、及びスレンダージャケット等が含まれる。
【００６５】
図１０及び図１１に示されるように、トップ衣類１０１は、本体部１０２と、ライン部（伸縮抑制部）１０３と、を備えている。本体部１０２は、着用者の体を覆うように設けられており、着用者の上半身の皮膚に密着する。本体部１０２は、伸縮性を有する生地により形成されている。本体部１０２を構成する素材の例には、パワーネット、ツーウェイラッセル、及びツーウェイトリコット等の経編、並びに、天竺、ベア天竺、フライス、及びスムース等の緯編等が含まれる。
【００６６】
本体部１０２は、着用状態において、着用者の腹部Ｐ４、ウエスト部Ｐ１、胸部Ｐ８、背部Ｐ９、及び左右一対の肩部Ｐ１０を覆う。本体部１０２には、左右の身頃を前中心ＣＬ４及び後中心ＣＬ５で互いに縫着することによって、前面Ｆ及び背面Ｂにそれぞれ接ぎラインＬ４，Ｌ５が形成されている。
【００６７】
ライン部１０３は、本体部１０２の一部に一方向に延在するようにライン状に設けられ、ライン状に設けられる部分において本体部１０２が伸縮することを抑制する。ライン部１０３は、第一実施形態と同様に、例えば、本体部１０２への縫着又は接着による当て布、本体部１０２の一部の編み構造の変更（組織切替）、及び、樹脂プリント又は抜蝕加工等の加工処理によって形成されている。当て布等のように本体部１０２とは別の素材を用いる場合、ライン部１０３を構成する素材の例として、パワーネット等が含まれる。ライン部１０３の延在方向に直交する幅方向のサイズは、４ｍｍ以上２５ｍｍ以下であり、好ましくは５ｍｍ以上１３ｍｍ以下である。
【００６８】
ライン部１０３は、一対の第八ライン３８と、一対の第九ライン３９と、一対の第十ライン４０と、一対の第十一ライン４１と、を有している。これら一対の第八ライン３８〜第十一ライン４１は、上述した、着用者の皮膚伸展線に対応する位置に設けられている。以下、皮膚伸展線に対応する位置に設けられる第八ライン３８〜第十一ライン４１について詳述する。
【００６９】
一対の第八ライン３８は、着用者の前面Ｆにおいて、前中心ＣＬ４から左右一対のアームホール１０２ａの方向のそれぞれに向かって延在する。一対の第八ライン３８同士は、Ｖ字状に交差する。本体部１０２の上端部１０２ｂと下端部１０２ｃとの距離を第三基準距離Ｄ３としたとき、一対の第八ライン３８における前中心ＣＬ４側の端部３８ａは、本体部１０２の上端部１０２ｂから第三基準距離Ｄ３の１／３〜１／２の長さ下方に配置されている。すなわち、上下方向において、本体部１０２の下端部１０２ｃと第八ライン３８の前中心ＣＬ４側の端部３８ａとの距離Ｄ３１は、第三基準距離Ｄ３の１／３〜１／２である。
【００７０】
一対の第九ライン３９は、着用者の背面Ｂにおいて、後中心ＣＬ５から左右一対のアームホール１０２ａの方向のそれぞれに向かって延在する。一対の第九ライン３９同士は、Ｖ字状に交差する。本体部１０２の上端部１０２ｂと下端部１０２ｃとの距離を第三基準距離Ｄ３としたとき、第九ライン３９における後中心ＣＬ５側の端部３９ａは、本体部１０２の下端部１０２ｃから第三基準距離Ｄ３の１／３〜１／２の長さ上方に配置されている。すなわち、上下方向において、本体部１０２の上端部１０２ｂと第九ライン３９の後中心ＣＬ５側の端部３９ａとの距離Ｄ３２は、第三基準距離Ｄ３の１／３〜１／２である。一対の第八ライン３８，３８同士の前中心ＣＬ４側の端部３８ａ，３８ａにおける交差角度α１は、一対の第九ライン３９，３９同士の後中心ＣＬ５側の端部３９ａ，３９ａにおける交差角度α２よりも小さい（α１＜α２）。
【００７１】
第十ライン４０は、着用者の前面Ｆにおいて、左右一対のアームホール１０２ａのそれぞれを形成する縁部１０２ｄから本体部１０２の下端部１０２ｃまで延在する一対の第十ライン４０,４０を有している。前中心ＣＬ４と脇線１０２ｅとの距離を第四基準距離Ｄ４としたとき、一対の第十ライン４０，４０のそれぞれは、脇線１０２ｅから第四基準距離Ｄ４の２０％〜４５％（好ましくは２０％〜３５％）の距離Ｄ４１の位置に配置されている。すなわち、左右方向において、本体部１０２の脇線１０２ｅと第十ライン４０との距離Ｄ４１は、第四基準距離Ｄ４の２０％〜４５％（好ましくは２０％〜３５％）の長さである。第八ライン３８におけるアームホール１０２ａ側の端部３８ｂは、第十ライン４０に接続されている。第八ライン３８の端部３８ｂ側を延長するとアームホールが存在する。なお、第八ライン３８におけるアームホール１０２ａ側の端部３８ｂは、アームホール１０２ａを形成する縁部１０２ｄに接続されていてもよい。
【００７２】
第十一ライン４１は、着用者の背面Ｂにおいて、左右一対のアームホール１０２ａのそれぞれを形成する縁部１０２ｄから本体部１０２の下端部１０２ｃまで延在する一対の第十一ライン４１,４１を有している。後中心ＣＬ５と脇線１０２ｅとの距離を第五基準距離Ｄ５としたとき、一対の第十一ライン４１，４１のそれぞれは、脇線１０２ｅから第五基準距離Ｄ５の２０％〜４５％（好ましくは３０％〜４５％）の距離Ｄ５１の位置に配置されている。すなわち、左右方向において、本体部１０２の脇線１０２ｅと第十一ライン４１との距離Ｄ５１は、第五基準距離Ｄ５の２０％〜４５％（好ましくは３０％〜４５％）の長さである。第九ライン３９におけるアームホール１０２ａ側の端部３９ｂは、第十一ライン４１に接続されている。第九ライン３９の端部３９ｂ側を延長するとアームホールが存在する。なお、第九ライン３９におけるアームホール１０２ａ側の端部３９ｂは、アームホール１０２ａを形成する縁部１０２ｄに接続されてもよい。
【００７３】
本体部１０２及びライン部１０３の伸長力の測定方法は、第一実施形態と同様であるので詳細は説明を省略する。本体部１０２のタテ方向、ヨコ方向、及びバイヤス方向の伸長力は、上述したようにサンプル８０を測定する要領で測定したとき、０．５Ｎ〜６．０Ｎであり、タテ方向及びヨコ方向については、２．０Ｎ〜４．０Ｎであることが好ましく、バイヤス方向については、１．０Ｎ〜４．０Ｎであることが好ましい。ライン部１０３の伸長力は、上述したようにサンプル８０Ａを測定する要領で測定したとき、１．１Ｎ〜２．０Ｎである。そして、ライン部１０３の伸長力は、サンプル８０Ａの計測方法にてそれぞれ測定された本体部１０２の伸長力とライン部１０３の伸長力とにおける「本体部１０２の伸長力／ライン部１０３の伸長力」の値が１．１〜２．０となるように選択されることが好ましい。
【００７４】
第二実施形態のトップ衣類１０１の作用効果について説明する。第二実施形態のトップ衣類１０１は、本体部１０２の一部にライン状に設けられたライン部１０３を設けることによって、本体部１０２においてライン部１０３を設けた箇所とライン部１０３を設けなかった箇所とで伸度（伸び量）に違いを出した。そして、着用状態において、ライン部１０３を設けた箇所を、人体に存在する皮膚伸展線ＦＬ８〜ＦＬ１１に対応する位置に設けることによって、皮膚の伸びが小さな皮膚伸展線ＦＬ８〜ＦＬ１１に対応する箇所において生地の伸びを抑制し、皮膚の伸びが大きな位置に対応する箇所において、皮膚の伸びる方向に合わせて生地を伸ばせるようにした。これにより、運動時の特に上半身の動作に追随することができる。この結果、着用者の皮膚に密着しつつも、動きやすさを感じることができる。
【００７５】
第二実施形態のトップ衣類１０１では、ライン部１０３の延在方向に直交する幅方向のサイズは、５ｍｍ以上１３ｍｍである。これにより、ライン部１０３の幅方向サイズを、人体の皮膚伸展線ＦＬ８〜１１のサイズに合わせることができる。この結果、ライン部１０３が着用者の身体の曲面に合わせて接触するようになるので、より身体にフィットするようになる。
【００７６】
第二実施形態のトップ衣類１０１では、人体の上半身に存在する、胸部Ｐ８の下（バージスライン）に沿って、左右方向に一方の脇線から他方の脇線にまで延在する皮膚伸展線ＦＬ８と、背部Ｐ９からウエスト部Ｐ１にかけて延在し、左右方向に一方の脇線から他方の脇線にまで延在する皮膚伸展線ＦＬ９とに対応するように、各ライン３８，３９が配置されている。この結果、着用者の皮膚に密着しつつも、運動時の特に上半身における動作に追随して動きやすさを感じることができる。
【００７７】
第二実施形態のトップ衣類１０１では、一対の第八ライン３８，３８同士の前中心ＣＬ４側の端部３８ａ，３８ａにおける交差角度α１は、一対の第九ライン３９，３９同士の後中心ＣＬ５側の端部３９ａ，３９ａにおける交差角度α２よりも小さい。これにより、着用状態において、より確実に、皮膚伸展線ＣＬ８及び皮膚伸展線ＣＬ９の位置にライン部１０３を位置させることができる。
【００７８】
第二実施形態のトップ衣類１０１では、人体の下半身に存在する、前面から人体を見たときの脇線よりも前中心ＣＬ４側で上記脇線に沿って上下方向に延在する皮膚伸展線ＦＬ１０に対応するように、ライン部１０３が配置されている。この構成の衣類では、この皮膚伸展線ＦＬ１０において生地の伸びを抑制することができる。
【００７９】
第二実施形態のトップ衣類１０１では、第八ライン３８におけるアームホール１０２ａ側の端部３８ｂは、第十ライン４０に接続されているので、ライン部１０３のフィット感を向上させることができる。
【００８０】
第二実施形態のトップ衣類１０１では、人体の下半身に存在する、背面Ｂから人体を見たときの脇線よりも後中心ＣＬ５側で上記脇線に沿って上下方向に延在する皮膚伸展線ＦＬ１１に対応するように、ライン部１０３が配置されている。この構成の衣類では、この皮膚伸展線ＦＬ１０において生地の伸びを抑制することができる。
【００８１】
第二実施形態のトップ衣類１０１では、第九ライン３９におけるアームホール１０２ａ側の端部３８ｂは、第十一ライン４１に接続されているので、ライン部１０３のフィット感を向上させることができる。
【００８２】
以上、一実施形態について詳細に説明されたが、本発明は上記実施形態に限定されない。
【００８３】
上記第一実施形態では、第一ライン３１〜第六ライン３６の全てを備えるボトム衣類１を例に挙げて説明したが、第四ライン３４〜第六ライン３６は、必ずしも備えなくてもよい。第四ライン３４〜第六ライン３６は、選択的に配置されてもよい。この場合第一ライン３１〜第三ライン３３の両端部は、接ぎラインＬ３上、外側脇線２ｂ上、又はこれらの近傍に位置する。
【００８４】
上記第一実施形態では、第六ライン３６に代えて、又は加えて、着用者の背面Ｂにおいて、第三ライン３３における外側脇線２ｂの端部３３ａ，３３ａのそれぞれから、ウエスト部Ｐ１側の端部２２ｃまで延在する第七ライン３７，３７を有していてもよい。この場合、ウエスト部Ｐ１の端部２ｃによる吊り下げ効果によって、ライン部３のフィット感を向上させることができる。
【００８５】
上記第二実施形態では、第八ライン３８〜第十一ライン４１の全てを備えるトップ衣類１０１を例に挙げて説明したが、第十ライン４０及び第十一ライン４１は、必ずしも備えなくてもよい。第十ライン４０及び第十一ライン４１は、選択的に配置されてもよい。
【００８６】
上記第二実施形態では、第八ライン３８におけるアームホール１０２ａ側の端部３８ｂは、アームホール１０２ａを形成する縁部１０２ｄに接続されていてもよい。この構成の衣類では、アームホール１０２ａを形成する縁部１０２ｄによる吊り下げ効果によって、ライン部１０３のフィット感を向上させることができる。同様に、上記第二実施形態では、第九ライン３９におけるアームホール１０２ａ側の端部３９ｂが第十ライン４０に接続される代わりに、アームホール１０２ａを形成する縁部１０２ｄに接続されていてもよい。この構成では、アームホール１０２ａを形成する縁部１０２ｄによる吊り下げ効果によって、ライン部１０３のフィット感を向上させることができる。
【００８７】
上記第一実施形態及び第二実施形態では、ボトム衣類１及びトップ衣類１０１の例を挙げて説明したが、ボトム衣類１とトップ衣類１０１とをつなぎ合わせたボディスーツのような態様として構成してもよい。
【符号の説明】
【００８８】
ＦＬ１〜ＦＬ４，ＦＬ８〜ＦＬ１１…皮膚伸展線、１…ボトム衣類（衣類）、２…本体部、２ａ…内側脇線、２ｂ…外側脇線、２ｃ…上端部、２ｄ…下端部、３…ライン部、３１…第一ライン、３２…第二ライン、３３…第三ライン、３４…第四ライン、３５…第五ライン、３６…第六ライン、３７…第七ライン、３８…第八ライン、３９…第九ライン、４０…第十ライン、４１…第十一ライン、１０１…トップ衣類（衣類）、１０２…本体部、１０２ａ…アームホール、１０２ｂ…上端部、１０２ｃ…下端部、１０２ｄ…縁部、１０２ｅ…脇線、１０３…ライン部。
【図１】
2019173238.tif 000003
【図２】
2019173238.tif 000004
【図３】
2019173238.tif 000005
【図４】
2019173238.tif 000006
【図５】
2019173238.tif 000007
【図６】
2019173238.tif 000008
【図７】
2019173238.tif 000009
【図８】
2019173238.tif 000010
【図９】
2019173238.tif 000011
【図１０】
2019173238.tif 000012
【図１１】
2019173238.tif 000013